(57)【要約】【課題】  カレンダー等の紙葉を傾斜状に表示する表台紙のリング状綴じ片により紙葉を綴じてから、リング状綴じ片の先端の係止フックを裏台紙に設けられたスリット内へ挿入することで、綴じ片をスリット内から簡単に抜け出ることなく、確実に挿着係止できる卓上綴込み表示具を提供する。【解決手段】  表台紙２ａの高さを裏台紙２ｂよりも大きくして傾斜角度を緩やかとし、表台紙２ａの上辺部に、この上辺と平行な向きの折曲げ線８と、この折曲げ線の両端を起点として、台紙上辺と直交する向きで下方向へ延出する一対の切込み線１０とを設けて、この切込み線１０の先端に横幅の大きい係止フック１４を設けたリング状綴じ片４とを備える。【選択図】  図１
0003111706.tif 000002
【実用新案登録請求の範囲】
【請求項１】
上辺に間隔をおいて複数個のスリットを開設した複数枚の紙葉と、これらの紙葉を卓上で傾斜状に保持するための台紙とからなる卓上綴込み表示具において、
台紙が、中間部の中央折り線を介して断面山形に折り曲げられた、裏台紙と、高さを前記裏台紙よりも大きくした表台紙とからなっていて、
前記紙葉を綴じるための表台紙は、中央折り線の下方に、両端に開設した小孔内空間によって長さを延長させた折曲げ線と、この折曲げ線を起点として台紙上辺と直交する向きで下方向へ延出する一対の切込み線とによって、紙葉のスリット内を通して台紙の上辺方向へリング状に巻き込める長さと、先端に前記紙葉スリットの長さよりも横幅の大きい係止フックとを設けたリング状綴じ片を有し、
他方の裏台紙の上辺部には、前記リング状綴じ片の先端の係止フックが挿通された状態で、フック両端が裏台紙の裏側に係止されるような幅の係止スリットを有していることを特徴とする卓上綴込み表示具。
【請求項２】
台紙を構成する裏台紙と、表台紙のうち、表台紙の高さを裏台紙よりも長くして、表台紙の傾斜角度を底面に対し、裏台紙の傾斜角度よりも緩やかとした請求項１の卓上綴込み表示具。
【考案の詳細な説明】
【技術分野】
【０００１】
本考案は、例えば、複数枚のカレンダー等の紙葉を綴込んだ台紙を、卓上に配置して、随時、必要な紙葉の頁をめくって表示することのできる卓上綴込み表示具の改良に関するものである。
【背景技術】
【０００２】
従来より、この種の表示具としては、カレンダー等のような複数枚の紙葉を、断面山形状に組み立てた台紙上に配置して、各紙葉の上辺を台紙の上辺に金属製リング、あるいはプラスチック製リング等によって綴込んだものが広く知られている。
【０００３】
しかし、各紙葉の上辺を台紙の上辺へ綴じる手段として、金属製リングあるいはプラスチック製リング等を使用するものでは、使用後の廃棄に際して焼却できないという問題とか、焼却すると有害ガスが発生して環境衛生上好ましくないという問題点が指摘されており、このような観点から、構成部材として金属や合成樹脂製のリングを用いずに、全て紙だけの素材により製造できる表示具の出現が望まれている。
【０００４】
従来においても紙だけを素材とするこの種の表示具としては、カレンダー紙葉の背面に配置する台紙の上辺部に、上端の折曲げ線を介してＵ字状の切り込みを設けることで、複数の舌片状の綴じ具を縦向きに設けておき、これらの綴じ具を、複数枚のカレンダー紙葉の上方の折曲げ線を起点として、台紙の上辺方向へリング状に巻き込んでから、綴じ具先端部を紙葉のスリット内へ差込んで挿着する卓上カレンダーの構造が知れている（特許文献１参照）。
【０００５】
【特許文献１】実公昭６０−２１２５９号公報
【特許文献２】特開２０００５- ７７３７号公報
【考案の開示】
【考案が解決しようとする課題】
【０００６】
特許文献１に示された綴込み装置では、一方の台紙にＵ字状の綴じ込み凸部を設け、この綴じ込み凸部の先端を、台紙の上辺へリング状に巻回してから複数枚の紙葉のスリット内を通して、別の台紙に設けたスリット内へ挿着する構造であるが、綴じ込み凸部の先端を別の台紙に設けたスリット内へ挿着する構造が確実に行えないために、綴じ込み凸部の先端が別の台紙のスリット内から簡単に抜け出てしまい、適切な係止作用を発揮できないという問題を有している。また、特許文献２に示された装置も綴じ込み凸部が同じ幅に構成されているため、特許文献１と同様な問題点を有している。
【課題を解決するための手段】
【０００７】
本考案は、従来におけるこの種の卓上綴込み表示具の問題点、例えば、特許文献１及び特許文献２に示された綴込み装置のように、綴じ込み凸部の先端を別の台紙に設けたスリット内へ挿着する構造が確実に行えないことによる、綴じ込み凸部の先端が別の台紙のスリット内から簡単に抜け出て、適切な係止作用を発揮できないという問題を解消することを目的とする。
【０００８】
また、卓上に置かれた台紙に保持される紙葉の傾斜角度と、この台紙上の紙葉よりも常に上方にある利用者の目の高さ位置との関係を配慮して、紙葉の保持傾斜角度を見やすい角度に設定できるようにしたことを目的とする。
【０００９】
本考案の卓上綴込み表示具は、そのための具体的手段として、上辺に間隔をおいて複数個のスリットを開設した複数枚の紙葉と、これらの紙葉を卓上で傾斜状に保持するための台紙とからなる卓上綴込み表示具において、台紙が、中間部の中央折り線を介して断面山形に折り曲げられた、裏台紙と、高さを前記裏台紙よりも大きくした表台紙とからなっていて、前記紙葉を綴じるための表台紙は、中央折り線の下方に、両端に開設した小孔内空間によって長さを延長させた折曲げ線と、この折曲げ線を起点として台紙上辺と直交する向きで下方向へ延出する一対の切込み線とによって、紙葉のスリット内を通して台紙の上辺方向へリング状に巻き込める長さと、先端に前記紙葉スリットの長さよりも横幅の大きい係止フックとを設けたリング状綴じ片を有し、他方の裏台紙の上辺部には、前記リング状綴じ片の先端の係止フックが挿通された状態で、フック両端が裏台紙の裏側に係止されるような幅の係止スリットを有していることを特徴としている。
【００１０】
裏台紙と、表台紙とからなる台紙は、表台紙の高さを裏台紙よりも長くして、表台紙の傾斜角度を底面に対し、裏台紙の傾斜角度よりも緩やかとすることが好ましい。
【考案の効果】
【００１１】
本考案の卓上綴込み表示具では、紙葉の背面に配置される台紙の上辺部に、一端に折曲げ線、先端に係止フックを設けたリング状綴じ片を適宜の間隔により複数箇所にわたって設け、これらのリング状綴じ片の先端の係止フックを、紙葉のスリット内へ通したのち、裏台紙の係止スリット内へ挿通係止するが、リング状綴じ片の基端部は、折曲げ線の両端に小孔が設けられることで、綴じ片の幅よりも大きく拡開されているので、綴じ片の先端係止フックを、紙葉のスリット内や裏台紙の係止スリット内へ挿通する際に、綴じ片に左右方向へ捻るような無理な力が加えられても、折曲げ線の両端部が亀裂して破損するという問題を適格に防止することができる。
【００１２】
この卓上綴込み表示具では、紙葉を綴じて支えておくための表台紙と裏台紙のうち、表台紙の高さを裏台紙の高さよりも長くなるようにして、紙葉を支える表台紙の傾斜角度を、台紙底面に対して裏台紙の傾斜角度よりも緩やかにしたので、卓上に置かれた状態で台紙に保持される紙葉の傾斜角度を、このテーブルの後部上方から見る利用者の目の高さ位置に正しく適合させて、見やすい綴込み表示具とすることができる。
【考案を実施するための最良の形態】
【００１３】
表台紙の上辺部に設けられるリング状綴じ片としては、折曲げ線の両端及び切込み線の上端が一対の小孔により連結するように構成したが、小孔に対して折曲げ線が設けられる位置としては、この折曲げ線の両端が、それぞれの小孔における台紙上辺に接近した位置をそれぞれ接点とする接線上に設けられているような形状とすることが好ましい。
【００１４】
また、小孔に対して切込み線が設けられる位置としては、これら切込み線の上端が、それぞれの小孔の相対向する曲面位置を接点とする接線から、上方の折曲げ線と直交する向きで下方へ平行に延出されているような構造とすることが好ましい。
【実施例】
【００１５】
次に、本考案に係る卓上綴込み表示具の構造を、図面に示す実施例について説明すると、この考案の表示具は、例えば、複数枚のカレンダーのような紙葉１と、これらの紙葉１を保持するための厚手の台紙２とから基本的に構成されており、図１は複数枚のカレンダー紙葉１を上方へ持ち上げた状態で、台紙２の形状と、台紙２の表側に綴じられるリング状綴じ片７の形状と、このリング状綴じ片７による綴じ方とを順に説明している。
【００１６】
図２のように、台紙２は、所定の大きさの厚紙の中央部に折り線３を設けて、この折り線３の両側に表台紙２ａと裏台紙２ｂとが設けられており、さらに、表台紙２ａの外側には折り線４を介して突片５ａをもった底板６ａ、及び裏台紙２ｂの外側には同様な折り線４を介して止め孔５ｂをもった底板６ｂとが設けられていて、これらの突片５ａと止め孔５ｂとを接合することで底板６ａ、６ｂが重合され、全体が断面山形状に組み立てられるように構成される。
【００１７】
前記台紙２を構成する表台紙２ａと裏台紙２ｂとは、表台紙２ａの高さＴを裏台紙２ｂの高さよりも大きくして、表台紙２ａと裏台紙２ｂとを断面山形状に組み立てたときに、底板６ａに対する表台紙２ａの傾斜角度θが裏台紙２ｂよりも緩やかな角度、例えば５０〜７０度の範囲に設定されるように構成されている。
【００１８】
表台紙２ａには、折り線３のやや下方に、折曲げ線８、小孔９、切込み線１０及び係止フック１１とを備えたリング状綴じ片７が、間隔をおいて複数個設けられている。
【００１９】
また、裏台紙２ｂには、折り線３のやや下方に、前記表台紙２ａに設けられた、リング状綴じ片７の係止フック１１が差し込まれるための係止スリット１２が設けられている。この係止スリット１２は、前記リング状綴じ片７における小孔９の内径とほぼ同じ程度の幅Ｒ２と、両小孔９，９内の空間を含めた折曲げ線８の長さＷ２とほぼ等しい長さＲ１を有するように開設されている。
【００２０】
一方、紙葉１は、上辺１ａのやや下方に、前記裏台紙２ｂの係止スリット１２と同様に、前記表台紙２ａに設けられたリング状綴じ片７を挿通することのできるような複数個のスリット１３が、互いに所定の幅間隔をおいて配置されるように開設されている。
【００２１】
表台紙２ａの上辺部に設けられるリング状綴じ片７は、図４に示すように、表台紙２ａの折り線３より下方の、前記紙葉１のスリット１３と対応する高さ位置に、それぞれ台紙折り線３と平行な向きに設けられた折曲げ線８と、この折曲げ線８の両端部から、折り線３と直交する向きで下方向へ延びるように、紙葉１のスリット１３内へ挿通可能な幅Ｗ１をもった一対の切込み線１０、１０を設けることによって形成されている。
【００２２】
図４に示すように、リング状綴じ片７を形成するための前記折曲げ線８の両端と、同じくリング状綴じ片４を形成する一対の切込み線１０，１０の上端とがそれぞれ交わる部分には、一対の小孔９、９が開設されていて、これらの小孔９，９によって、折曲げ線８の長さが、本来の長さＬよりもそれぞれの小孔９内の空間を含めた分の実質的な長さＷ２に延長されるようになっている。
【００２３】
紙葉１に設けられるリング状綴じ片７を挿通するためのスリット１３は、その長さＲ１（図２参照）が、図４に示すように、表台紙２ａに設けられる両小孔９，９内の空間によって延長される折曲げ線８の長さＷ２とほぼ等しい寸法になっている。
【００２４】
前記折曲げ線８の両端から台紙折り線３と直交する向きで下方へ延びる切込み線１０の下端には、前記折曲げ線８における一対の小孔９内の空間によって延長された長さＷ２よりも、大きい横幅Ｗ３の突片１４をもった係止フック１１が設けられることで、前記リング状綴じ片４が形成されている。なお、この係止フック１１の前縁１１ａは、ドーム状曲面のように膨出した形状とすることが好ましい。
【００２５】
また、リング状綴じ片７は、図１に示すように、折曲げ線８を起点として表台紙２ａの前面方向へ折り曲げられてから、先端の係止フック１１を各紙葉１のスリット１３内へ挿通し、次いで台紙折り線３の上方で裏台紙２ｂの表面方向へリング状に巻回して、係止フック１１を裏台紙２ｂの係止スリット１２内へ差し込むことができるような長さＨを有している。
【００２６】
リング状綴じ片７の係止フック１１を紙葉１のスリット１３内へ挿通する際には、まず図５ａに示すように、係止フック１１における一方の突片１４ａがスリット１３内の一方側へ挿入できるように差し込む。次に、図５ｂのように、リング状綴じ片７を前記突片１４ａが差し込まれた方向へ移動することで、他方の突片１４ｂをスリット１３内の他方側へ挿入できる姿勢とし、両方の突片１４ａ，１４ｂをスリット１３内へ貫通してから、図５ｃのように、リング状綴じ片７をスリット１３に対する正しい位置へ戻すように移動する。
【００２７】
表台紙２ａにおける折曲げ線８は、両端が一対の小孔９，９に接続されることで、実質的に小孔９，９の空間の分が加えられた長さＷ２であればよいが、この折曲げ線８は、図４に示すように、両端部に開設された一対の小孔９，９における台紙折り線３に接近した位置をそれぞれ接点Ｐとする接線上に設けられていることが好ましい。また、リング綴じ片７の両側縁を形成する一対の切込み線１０，１０は、同様に一対の小孔９，９の相対向する曲面位置を接点Ｑとする接線として、折曲げ線８と直交する向きで下方へ平行に延出している形状とすることが好ましい。
【００２８】
図１は、表台紙２ａに設けられたリング状綴じ片７の形状と組み立て方を、右から左へ向けて順次説明したものであり、最も右側のリング状綴じ片７Ａは、表台紙２に折曲げ線８を起点とする切込み線１０，１０と係止フック１１とが切り込まれた時の形状を示しており、その隣のリング状綴じ片７Ｂは、上端の折曲げ線８を起点にして下端の係止フック１１を表台紙２ａの前面方向へ引き出した状態を示している。
【００２９】
さらに、その左隣のリング状綴じ片７Ｃは、下端の係止フック１１を表台紙２ａの前面に配置する紙葉１の上部に設けられたスリット１３内へ挿通する前の状態を示している。そして最も左側のリング状綴じ片７Ｄは、リング状綴じ片７Ｄにより表台紙２と紙葉１とが綴じられた状態を示しており、その時係止フック１１は、紙葉１のスリット１３内へ挿通された後に、裏台紙２ｂの方向へリング状に巻回してから、裏台紙２ｂの係止スリット１２内へ挿着される。
【００３０】
リング状綴じ片７の係止フック１１を裏台紙２ｂの係止スリット１２内へ挿着する際には、図５に示したように、係止フック１１を紙葉１のスリット１３内へ挿通するときと同様の要領で行えばよい。
【００３１】
図４のように、表台紙２ａのリング状綴じ片７は、折曲げ線８の下方両側に一対の小孔９，９が設けられているので、このリング状綴じ片７を、図１に示すリング状綴じ片７Ｃのように折曲げ線８により上方へ折り曲げると、折曲げ線８の下方に小孔９，９の内径の大きさの幅をもつた空間が形成される。そのため、前記のように、リング状綴じ片７の係止フック１１を、裏台紙２ｂの係止スリット１２内へ挿通したのちに、さらに表台紙２ａにおけるリング状綴じ片７の折曲げ線８の下方空間部を通して、表台紙２ａの表面側へ突出するように挿着すれば、リング状綴じ片７による、より確実な連結効果を得ることができる。
【産業上の利用可能性】
【００３２】
本考案に係る卓上綴込み表示具は、複数枚の紙葉を台紙に設けた紙製のリング状綴じ片により、接着剤を一切用いることなく綴じることができ、しかもリング状綴じ片の先端係止フックにより、紙葉の確実な係止作用が得られるので、例えば、卓上カレンダー以外にも、幼児用の教材、アルバムなどに適用して利用性が高く、使用後に焼却処理しても、有害ガスを発生することがないので、この種の他製品に比較して信頼性の高い卓上綴込み表示具とすることができる。
【図面の簡単な説明】
【００３３】
【図１】本考案の卓上綴込み表示具の構成を示す一部切欠き斜視図。
【図２】図１の表示具を形成する台紙の平面図。
【図３】図１の組立てられた表示具の断面を示す側面図。
【図４】表台紙に設けられるリング状綴じ片の形状を示す拡大平面図。
【図５】リング状綴じ片の係止フックを紙葉及び裏台紙のスリット内へ挿入する時の手順を示す説明図。
【符号の説明】
【００３４】
１：紙葉、
２：台紙、
２ａ：表台紙、
２ｂ：裏台紙、
３：折り線、
４：折り線、
５ａ：突片、
５ｂ：止め孔
６ａ，６０ｂ：底板、
７：リング状綴じ片、
８：折曲げ線、
９：小孔、
１０：切込み線、
１１：係止フック、
１２：係止スリット、
１３：スリット、
１４：係止フック突片
【図１】
0003111706.tif 000003
【図２】
0003111706.tif 000004
【図３】
0003111706.tif 000005
【図４】
0003111706.tif 000006
【図５】
0003111706.tif 000007